(57)【特許請求の範囲】
【請求項１】
ケーシング回転機構を昇降するシリンダを支持するベースフレームの対向する２側面外側に水平ジャッキを取り付けるチュービング装置の水平ジャッキ取付構造において、前記ベースフレームの対向する２つの辺の外側面両端部及び該２つの辺以外の対向する２つの辺の外側面両端部に、水平ジャッキ取付用のブラケットをそれぞれ形成し、壁際施工の際に、壁際へ寄せる辺の側面の水平ジャッキを取り外して、邪魔にならない辺の側面の前記ブラケットに付け替えることを特徴とするチュービング装置の水平ジャッキ取付構造。
【請求項２】
ケーシング回転機構を昇降するシリンダを支持するベースフレームの対向する２側面外側に水平ジャッキを取り付けるチュービング装置の水平ジャッキ取付構造において、前記ベースフレームの対向する２つの辺の外側面両端部及び該２つの辺以外の対向する２つの辺の外側面両端部に、水平ジャッキ取付用のブラケットをそれぞれ形成するとともに、前記ベースフレーム内側に、更に水平ジャッキ取付用のブラケットを形成し、コーナー部での施工の際に、壁際に寄せる辺の側面の水平ジャッキのうち、その１つを、壁に近づかない辺のうち、水平ジャッキが取り付けられていない辺のブラケットに付け替え、他の１つをベースフレーム内側のコーナー部となる前記ブラケットに付け替えることを特徴とするチュービング装置の水平ジャッキ取付構造。
【請求項３】
前記ベースフレーム内側の水平ジャッキ取付用のブラケットが、前記シリンダ直下に形成されていることを特徴とする請求項２記載のチュービング装置の水平ジャッキ取付構造。
【発明の詳細な説明】
【０００１】
【発明の属する技術分野】
本発明は、チュービング装置の水平ジャッキ取付構造に関する。
【０００２】
【従来の技術】
チュービング装置は、ケーシングを鉛直に建て込むために、装置全体の水平を出す水平ジャッキを備えており、例えば、図６，７に示される如く、ケーシング回転機構１を昇降するシリンダ２を支持するベースフレーム３の対向する２側面外側に水平ジャッキ４，４をそれぞれ取り付けたものや、図８に示される如く、各シリンダ２の直下に水平ジャッキ４をそれぞれ取り付けたものがある。
【０００３】
【発明が解決しようとする課題】
ところが、ベースフレーム３の対向する２側面外側に水平ジャッキ４，４を取り付けたものは、図７に示されるように、ベースフレーム３から水平ジャッキ４，４が張り出しているので、出来るだけ壁際で施工したい場合に、水平ジャッキ４，４が邪魔になって壁際、特にコーナー部に寄り切れない問題がある。また、各シリンダ２の直下に水平ジャッキ４をそれぞれ取り付けたものでは、図８に示されるように、各水平ジャッキ４の下に鉄板を敷いているものの、ケーシング５の圧入によりケーシング５回りの地面が崩壊することがあり、水平ジャッキ４直下まで崩壊が及ぶと装置全体の水平維持に支障を来すことがある。さらに、地盤崩壊が少なくても、ケーシング引き抜き抵抗が大きい地盤では、水平ジャッキの位置がケーシングに近いため、引き抜き反力がジャッキ底面から表面地盤に伝わり、ケーシングの地表面付近を締め付け、ケーシング引き抜き抵抗を増大させることがある。
【０００４】
そこで本発明は、壁際施工の際に水平ジャッキが邪魔にならず、ケーシング回りの地面崩壊や地表面締め付けの懸念が少ないチュービング装置の水平ジャッキ取付構造を提供することを目的としている。
【０００５】
【課題を解決するための手段】
上記した目的を達成するため、ケーシング回転機構を昇降するシリンダを支持するベースフレームの対向する２側面外側に水平ジャッキを取り付けるチュービング装置の水平ジャッキ取付構造において、本発明の第１は、前記ベースフレームの対向する２つの辺の外側面両端部及び該２つの辺以外の対向する２つの辺の外側面両端部に、水平ジャッキ取付用のブラケットをそれぞれ形成し、壁際施工の際に、壁際へ寄せる辺の側面の水平ジャッキを取り外して、邪魔にならない辺の側面の前記ブラケットに付け替えることを特徴とし、第２は、前記ベースフレームの対向する２つの辺の外側面両端部及び該２つの辺以外の対向する２つの辺の外側面両端部に、水平ジャッキ取付用のブラケットをそれぞれ形成するとともに、前記ベースフレーム内側に、更に水平ジャッキ取付用のブラケットを形成し、コーナー部での施工の際に、壁際に寄せる辺の側面の水平ジャッキのうち、その１つを、壁に近づかない辺のうち、水平ジャッキが取り付けられていない辺のブラケットに付け替え、他の１つをベースフレーム内側のコーナー部となる前記ブラケットに付け替えることを特徴とし、さらに、前記ベースフレーム内側の水平ジャッキ取付用のブラケットが、前記シリンダ直下に形成されていることを特徴としている。
【０００６】
【発明の実施の形態】
以下、本発明を図面に示される実施形態例に基づいて説明する。なお、従来例と同一要素には同一の符号を付して説明する。図１及び図２は本発明の第１実施形態例を示すもので、チュービング装置６は、ケーシング回転機構１を構成する昇降フレーム７及びチャック装置支持フレーム８と、ケーシング回転機構１を昇降するシリンダ２をガイドポスト９内で支持するベースフレーム３とを平面視略長方形の略同幅に形成している。
【０００７】
前記昇降フレーム７は、ケーシング挿通孔１０を形成したリング状の回転フレーム１１と、チャック装置支持フレーム８を昇降するチャックシリンダ１２とを有し、チャック装置支持フレーム８は、ケーシング挿通孔を形成したリング状の回転フレーム１３に吊持される複数のチャック部材１４を有し、ケーシング挿通孔１０に挿通されたケーシング５と回転フレーム１１との間にチャック部材１４を下降させて、ケーシング５を把持し、回転フレーム１１を油圧モータ１５で回転させながら、シリンダ２の伸縮によってケーシング回転機構１を昇降させて、ケーシング５の押し込み・引き抜きを行う。
【０００８】
ベースフレーム３には、対向する２つの長辺３ａの外側面両端部に、水平ジャッキ４をボルト止めする取付部としてブラケット１６がそれぞれ形成されるとともに、前記長辺３ａ以外の対向する２つの短辺３ｂの外側面に、水平ジャッキ４をボルト止めする取付部として、両端部にブラケット１７がそれぞれ形成されている。
【０００９】
この構成により、壁際施工の際には、図２に示されるように、ケーシング挿通孔１０からの距離が短い対向する２つの長辺３ａのブラケット１６に取り付けていた各水平ジャッキ４のうち、壁際に寄せる長辺３ａの水平ジャッキ４、４を、対向する２つの短辺３ｂのブラケット１７にそれぞれ付け替えることにより、長辺３ａを壁際ぎりぎりに寄せて施工することができる。
【００１０】
図３及び図４は、第１実施形態例の態様に加えて、水平ジャッキ４の取付部として、水平ジャッキ４のシリンダ４ａを取り付けるブラケット１８をシリンダ２の直下に形成した第２実施形態例を示すもので、この構成により、図４に示されるように、コーナー部での施工の際には、壁際に寄せる長辺３ａ及び短辺３ｂの水平ジャッキ４の１つを、壁に近づかない短辺３ｂのブラケット１７に付け替え、残りの１つをコーナー部のシリンダ２直下のブラケット１８に付け替えて、チュービング装置６をコーナー部ぎりぎりに寄せて施工することができる。この場合に、長辺３ａのブラケット１６に取り付けられた水平ジャッキ４，４と、短辺３ｂのブラケット１７に取り付けられた水平ジャッキ４とはケーシング５から離れた位置になるので、ケーシング５回りの地盤崩壊や地表面締め付けの懸念が少ない。なお、地盤崩壊や地表面締め付けの心配が少ない現場では、各シリンダ２直下に水平ジャッキをそれぞれ取り付けてもよい。
【００１１】
図５は、第１実施形態例の態様に加えて、水平ジャッキ４の取付部として、水平ジャッキ４のシリンダ４ａをベースフレーム３の内側に取り付ける第３実施形態例を示すもので、この構成でもチュービング装置６をコーナー部ぎりぎりに寄せて施工することができる。
【００１２】
したがって、チュービング装置６の設置場所や地盤の状況に応じて水平ジャッキ４の取付位置を自由に選択変更できるから、ケーシングの鉛直性を確保して作業効率を向上させることができる。
【００１３】
なお、上記各実施形態例では、ガイドポスト９内にケーシング回転機構１を昇降するシリンダ２を配置したもので説明したが、ガイドポスト９とシリンダ２とが別位置に配置されるものでもよく、また、第２実施形態例では、シリンダ２の直下に水平ジャッキ４を取り付けたもので説明したが、例えば、ガイドポスト９とシリンダ２とが別位置に配置されたものではガイドポスト９直下に水平ジャッキ４を取り付けてもよい。
【００１４】
【発明の効果】
以上説明したように、本発明のチュービング装置の水平ジャッキ取付構造は、ケーシング回転機構を昇降するシリンダを支持するベースフレームの対向する２側面以外の対向する２側面外側に水平ジャッキ取付部を形成したので、壁際施工の際に、壁際へ寄せる側面から水平ジャッキを取り外して、邪魔にならない側面に付け替えることで、壁際ぎりぎりにチュービング装置を寄せて施工することができる。また、これに加えて、水平ジャッキをベースフレーム内側に取り付け可能とすることにより、コーナー部での施工の際には、コーナー部となる水平ジャッキをベースフレーム内側に取り付ければ、他の側面外側に取り付けた水平ジャッキは、ケーシングから離れた位置になるので、ケーシング回りの地盤崩壊や地表面締め付けの懸念が少ない。
【図面の簡単な説明】
【図１】本発明の第１実施形態例を示す正面図
【図２】同じく平面図
【図３】第２実施形態例の要部を示す一部断面図
【図４】同じく平面図
【図５】第３実施形態例を示す平面図
【図６】従来のチュービング装置の一例を示す正面図
【図７】同じく平面図
【図８】従来のチュービング装置の別の例を示す正面図
【符号の説明】
１…ケーシング回転機構、２…シリンダ、３…ベースフレーム、３ａ…長辺、３ｂ…短辺、４…水平ジャッキ、５…ケーシング、６…チュービング装置、７…昇降フレーム、１６…長辺３ａのブラケット、１７…短辺３ｂのブラケット、１８…シリンダ３直下のブラケット
【図１】
0003548954.tif 000002
【図２】
0003548954.tif 000003
【図３】
0003548954.tif 000004
【図４】
0003548954.tif 000005
【図５】
0003548954.tif 000006
【図６】
0003548954.tif 000007
【図７】
0003548954.tif 000008
【図８】
0003548954.tif 000009